(57)【特許請求の範囲】
【請求項１】
食品、医薬品または化粧品の製品、食品、医薬品または化粧品の成分、食品産業、医薬品産業または化粧品産業における環境あるいは食品産業、医薬品産業または化粧品産業におけるプロセスをモニターするための生物学的試験に使用するための可搬型機器であって、該可搬型機器が、以下：
食品、医薬品または化粧品の情報を生じる１つの測定デバイスを形成する光子検出器および暗所チャンバを備える光子検出アセンブリ；
該光子検出アセンブリの該光子検出器以外の種々のさらなる測定デバイスからのシグナルを受信し得る通信ポートであって、該シグナルが、該さらなる測定デバイスによって決定される食品、医薬品または化粧品のパラメーターに対応し、該食品、医薬品または化粧品のパラメーターが食品産業、医薬品産業または化粧品産業における環境または食品産業、医薬品産業または化粧品産業におけるプロセスにおける複数の重要管理点のそれぞれにおける表面の特性を示し、該表面が食品産業、医薬品産業または化粧品産業における環境あるいは食品産業、医薬品産業または化粧品産業におけるプロセスにある食品、医薬品または化粧品の製品あるいは食品、医薬品または化粧品の成分と接触する、通信ポート；
該食品、医薬品または化粧品のパラメーターを該光子検出器から受信された食品、医薬品または化粧品の情報を用いて食品、医薬品または化粧品の統合データに統合するように作動可能な、プロセッサ、
を備える、可搬型機器。
【請求項２】
請求項１に記載の可搬型機器であって、前記さらなる測定デバイスが、ＡＴＰレベル、ＡＤＰレベル、ＡＭＰレベル、アルカリホスファターゼレベル、ｐＨ、温度、溶存気体、伝導率、微生物数、および特定のイオンのうちの少なくとも１つを測定し得る、可搬型機器。
【請求項３】
請求項１に記載の可搬型機器であって、前記光子検出器が、光電子増倍管またはフォトダイオードを含む光子計数器である、可搬型機器。
【請求項４】
請求項３に記載の可搬型機器であって、前記暗所チャンバが、開閉されるように回転可能に位置付け可能なシャッター部材、開いた場合に該サンプルおよび該シャッターを該検出器に対して近位に位置付けるためのスライド可能なシャフトを備える円筒形保持部材、ならびに該サンプルを入れるために開くが、該サンプルを測定するために閉じられなければならないカバーを有する、可搬型機器。
【請求項５】
請求項３に記載の可搬型機器であって、前記さらなる測定デバイスが、外部プローブであり、該外部プローブが、該機器から取り外し可能である、可搬型機器。
【請求項６】
請求項５に記載の可搬型機器であって、前記外部プローブが、他の外部プローブと相互交換可能である、可搬型機器。
【請求項７】
請求項５に記載の可搬型機器であって、前記外部プローブが、食品、医薬品または化粧品のパラメーターの１つより多くの型を測定し得る、可搬型機器。
【請求項８】
請求項５に記載の可搬型機器であって、前記外部プローブが、前記光子検出器とは異なる単一の食品、医薬品または化粧品のパラメーターを測定し得る、可搬型機器。
【請求項９】
請求項７に記載の可搬型機器であって、前記外部プローブが、同時に、食品、医薬品または化粧品のパラメーターの１つより多くの型を測定し得る、可搬型機器。
【請求項１０】
請求項７に記載の可搬型機器であって、前記食品、医薬品または化粧品のパラメーターが、温度、ｐＨ、溶存気体、伝導率、および特定のイオンのうちの少なくとも１つを含む、可搬型機器。
【請求項１１】
請求項５に記載の可搬型機器であって、前記さらなる測定デバイスが、外部プローブを備え、該外部プローブが、温度、ｐＨ、溶存気体、伝導率、還元電位、および特定のイオンのうちの少なくとも１つを測定し得る、可搬型機器。
【請求項１２】
請求項１に記載の可搬型機器であって、前記通信ポートが、複数の相互交換可能な測定デバイスのいずれかからのシグナルを受信し得る、可搬型機器。
【請求項１３】
請求項１２に記載の可搬型機器であって、前記複数の相互交換可能な測定デバイスが、異なる食品、医薬品または化粧品のパラメーターを測定するためのデバイスを含む、可搬型機器。
【請求項１４】
請求項１に記載の可搬型機器であって、該可搬型機器が、複数の通信ポートを備え、各々が、別々の測定デバイスからのシグナルを受信し得る、可搬型機器。
【請求項１５】
請求項１４に記載の可搬型機器であって、前記通信ポートのうちの少なくとも１つが、汎用コンピューターと連絡し得る、可搬型機器。
【請求項１６】
請求項１５に記載の可搬型機器であって、前記通信ポートのうちの少なくとも１つが、データロガーと連絡し得る、可搬型機器。
【請求項１７】
請求項１５に記載の可搬型機器であって、前記通信ポートのうちの少なくとも１つが、外部メモリシステムと連絡し得る、可搬型機器。
【請求項１８】
請求項１に記載の可搬型機器であって、該可搬型機器が、さらに、以下：
該サンプルを位置付けるための保持部材であって、該保持部材の動きがシャッター部材を回転させ得るように、該保持部材が構成される、保持部材、
を備え、
ここで、前記チャンバが、前記光子検出器を使用して分析されるサンプルを受容するように構成されており、該チャンバが、該光子検出器と近接しており、そして該チャンバに回転可能に取り付けられたシャッター部材を備え、該シャッター部材が、開閉されるように選択的に位置付け可能であり、ここで、該シャッター部材が、開いている場合、該光子検出器が、該チャンバ内でサンプルからの光に曝露され得、そして該シャッター部材が、閉じている場合、該光子検出器が、該チャンバ内の光または該チャンバに入る外部光から遮断される、
可搬型機器。
【請求項１９】
請求項１８に記載の可搬型機器であって、前記保持部材が、さらに、以下：
前記保持チャンバのためのカバーであって、前記シャッター部材が閉じた場合に、該カバーが、開位置または閉位置の間で選択的に位置付け可能である、カバー；および
スライド可能な部材であって、該スライド可能な部材が、上位置と下位置との間で変位して、サンプル装填位置とサンプル測定位置との間で該機器を位置付け得、該カバーが閉じた場合に、該スライド可能な部材の該上位置から該下位置への変位が、該シャッター部材を開くように、該スライド可能な部材が、前記シャッター部材に連結されており、該スライド可能な部材が、スライド可能なシャフトであり、該機器が、該スライド可能なシャフトの長手方向の運動を回転運動へと変換するための螺旋状のガイド部材を有する回転可能なシャフトを備え、スライド可能なシャフトの該上位置から該下位置への長手方向の変位が、該シャッター部材を該開位置へと回転させ、該スライド可能なシャフトの該下位置から該上位置への長手方向の変位が、該シャッター部材を該閉位置へと回転させるように、該回転可能なシャフトが、該シャッター部材に連結されており、該スライド可能なシャフトが該シャッター部材を開くように十分に下に変位させられ得る前に、該カバーが閉じられなければならないように該機器が構成されている、スライド可能な部材
を備える、可搬型機器。
【請求項２０】
請求項１８に記載の可搬型機器であって、前記チャンバのためのカバーをさらに備え、該カバーが、前記シャッター部材が開くためには、閉位置でなければならず、そして該カバーが、該シャッター部材が閉じた場合に、開位置または閉位置の間で選択的に位置付け可能であり得るように、該可搬型機器が構成されている、可搬型機器。
【請求項２１】
請求項２０に記載の可搬型機器であって、移動可能なシャフトをさらに備え、該移動可能なシャフトが、前記シャッター部材に連結され、その結果、前記カバーが閉じた場合、該移動可能なシャフトの変位が、該シャッター部材を開閉し得る、可搬型機器。
【請求項２２】
請求項２０に記載の可搬型機器であって、スライド可能なシャフトをさらに備え、該スライド可能なシャフトが、上位置と下位置との間で変位して、サンプル装填位置とサンプル測定位置との間で該可搬型機器を位置付け得、該スライド可能なシャフトが、前記シャッター部材に連結され、その結果、前記カバーが閉じた場合、該スライド可能なシャフトの該上位置から該下位置への変位が、該シャッター部材を開く、可搬型機器。
【請求項２３】
請求項２０に記載の可搬型機器であって、前記下位置から前記上位置に前記スライド可能なシャフトを推進し得る、エレベーター機構をさらに備える、可搬型機器。
【請求項２４】
請求項２３に記載の可搬型機器であって、前記シャッター部材が、円筒形形状である、可搬型機器。
【請求項２５】
請求項２０に記載の可搬型機器であって、前記シャッター部材が、前記光子検出器に面するように回転して該シャッター部材を開き得る開口部を有する、可搬型機器。
【請求項２６】
請求項２０に記載の可搬型機器であって、前記保持部材が、サンプル試験デバイスを保持し得、そして該可搬型機器が、該サンプル試験デバイス内のサンプルを分析し得る、可搬型機器。
【請求項２７】
請求項２６に記載の可搬型機器であって、前記サンプル試験デバイスを、前記光子検出器に対して近位にかつ再現可能に近位に位置付けるための位置付け部材をさらに備える、可搬型機器。
【請求項２８】
請求項２６に記載の可搬型機器であって、該機器が、前記サンプル試験デバイス内のサンプル収集表面を、前記光子検出器の光子検出経路に対して近位であるが、該光子検出経路内ではないように位置付けるように構成されている、可搬型機器。
【請求項２９】
請求項１８に記載の可搬型機器であって、さらに以下：
エレベーター機構であって、該エレベーター機構が、前記サンプルデバイスを装填するための第１位置と、該サンプルデバイスのサンプル含有部分が該光子検出器の測定経路内にあるような第２位置とに前記チャンバを位置付け得る、エレベーター機構、
を備える、可搬型機器。
【請求項３０】
食品、医薬品または化粧品の製品、食品、医薬品または化粧品の成分、食品産業、医薬品産業または化粧品産業におけるプロセスあるいは食品産業、医薬品産業または化粧品産業における環境をモニターするために生物学的試験を行う方法であって、該方法は以下：
光子検出器および測定デバイスとの連絡のための通信ポートを有する可搬型機器を提供する工程であって、該測定デバイスが、該光子検出器によって測定される食品、医薬品または化粧品の光度測定パラメーターに加えて食品、医薬品または化粧品の非光度測定パラメーターを測定し得、該測定デバイスが、該食品、医薬品または化粧品の非光度測定パラメーターと該光子検出器によって測定される食品、医薬品または化粧品の光度測定パラメーターとを食品、医薬品または化粧品の統合データに統合するように作動可能な、プロセッサを備える、工程；
該通信ポートを通って該可搬型機器に連結される該測定デバイスを提供する工程；
該食品産業、医薬品産業または化粧品産業における環境あるいは該食品産業、医薬品産業または化粧品産業におけるプロセスの表面からサンプルを収集し、そして該光子検出器を使用する食品、医薬品または化粧品の光度測定パラメーターの分析のためにチャンバ内にサンプルを配置する工程であって、該表面が該食品産業、医薬品産業または化粧品産業における環境あるいは該食品産業、医薬品産業または化粧品産業におけるプロセスにある食品、医薬品または化粧品の製品あるいは該食品、医薬品または化粧品の成分と接触する、工程；
該光子検出器を使用して該サンプルを分析する工程；
該食品産業、医薬品産業または化粧品産業における環境あるいは該食品産業、医薬品産業または化粧品産業におけるプロセスの複数の重要管理点において該測定デバイスを使用して該食品産業、医薬品産業または化粧品産業における環境あるいは該食品産業、医薬品産業または化粧品産業におけるプロセスの表面の該食品、医薬品または化粧品の非光度測定パラメーターを測定する工程；および
該食品、医薬品または化粧品の非光度測定パラメーターと該光子検出器によって測定される食品、医薬品または化粧品の光度測定パラメーターとを該測定デバイスを使用して、食品、医薬品または化粧品の統合データに統合する工程、
を包含する、方法。
【請求項３１】
請求項３０に記載の方法であって、前記光子検出器および前記測定デバイスから受信されたデータが、選択された重要管理点（ＣＣＰ）インジケーターを表す、方法。
【請求項３２】
請求項３１に記載の方法であって、ＣＣＰ限界に相関するように、前記可搬型機器のプロセッサを使用してデータを分析する工程をさらに包含する、方法。
【請求項３３】
請求項３０に記載の方法であって、前記光子検出器および前記測定デバイスからのデータを、前記可搬型機器のディスプレイデバイスに表示する工程をさらに包含する、方法。
【請求項３４】
請求項３３に記載の方法であって、データ分析を容易にするために、前記可搬型機器からのデータをグラフ形式またはチャート形式で表示する工程をさらに包含し、そのデータの表示およびその分析が、該可搬型機器のプロセッサまたは外部プロセッサによって実行される、方法。
【請求項３５】
請求項３０に記載の方法であって、前記光子検出器および前記測定デバイスからのデータを、前記可搬型機器のメモリに記録する工程をさらに包含する、方法。
【請求項３６】
請求項３０に記載の方法であって、前記可搬型機器からのデータをランダムアクセス構成で記録する工程をさらに包含し、前記使用者が、任意の量のメモリーを、測定される食品、医薬品または化粧品の光度測定パラメーターおよび非光度測定パラメーターのそれぞれに割り当て得る、方法。
【請求項３７】
請求項３０に記載の方法であって、前記可搬型機器が、複数の通信ポートを備え、該通信ポートの少なくとも１つが、前記光子検出器および前記測定デバイスから受信されたデータを外部デバイスに転送するために使用される、方法。
【請求項３８】
請求項３６に記載の方法であって、前記外部デバイスが、前記記録されたデータを分析するために使用されるプロセッサを備える、方法。
【請求項３９】
請求項３７に記載の方法であって、前記外部デバイスが、汎用コンピュータである、方法。
【請求項４０】
請求項３７に記載の方法であって、前記外部デバイスが、データ保存デバイスを備える、方法。
【請求項４１】
請求項４０に記載の方法であって、前記外部デバイスが、汎用コンピュータであり、そして前記データ保存デバイスが、該汎用コンピュータに連結されたハードディスクである、方法。
【請求項４２】
請求項４０に記載の方法であって、前記可搬型機器を使用して前記食品産業、医薬品産業または化粧品産業におけるプロセスあるいは食品産業、医薬品産業または化粧品産業における環境の表面の食品、医薬品または化粧品光度測定パラメーターまたは非光度測定パラメーターを測定する工程が、ＡＴＰレベル、ＡＤＰレベル、アルカリホスファターゼレベル、温度、伝導率、ｐＨ、溶存気体、特定のイオン、および微生物数のうちの少なくとも１つに比例する測定値を提供する工程を包含する、方法。
【発明の詳細な説明】
【技術分野】
【０００１】
（発明の背景）
（発明の分野）
本開示は、環境試験（例えば、食物、ならびに食物が接触する材料および表面の試験）の分野に関する。
【背景技術】
【０００２】
（関連技術の説明）
汚染物の制御および衛生の観点でＨＡＣＣＰ（危害分析重要管理点）の原則を利用する、食物、医薬品および化粧品の保証（ｒｅｆｅｒｅｎｃｅ）産業における安全性は、病原性微生物の発生の制御のみでなく、これらが広範かつ高価な問題になる前に危険を防止することに関する懸念を生じている。ＨＡＣＣＰは、食物の安全性を確保するために、国際的に認容されている、科学に基づくシステムである。ＨＡＣＣＰは、ＦＤＡおよびＵＳＤＡ、ならびに他の国々によって、採用されている。これは、米国科学アカデミー、コーデックス委員会（国際食物標準設定機関）、および食品微生物基準全国諮問委員会によって推奨されている。宇宙計画のために約３０年前に開発され、ＨＡＣＣＰは、食物の安全性の危険が、安全でない食物が消費者に達することを防止するように制御されることを確保するために効果的であることが示された。
【０００３】
米国のみにおいて、１９９５年以来、ＨＡＣＣＰに基づくシステムは、以下の産業に対して、連邦政府によって命じられた：
・海産物−（２１  Ｃ．Ｆ．Ｒ．Ｐａｒｔ  １２３および１２４０  魚介類及び水産製品の安全で衛生的な加工及び輸入のための手法；最終規則）、１９９５年１２月
・肉および鳥肉−（９  Ｃ．Ｆ．Ｒ．Ｐａｒｔ  ３０４など、病原菌低減化：危害分析重要管理点（ＨＡＣＣＰ）システム；最終規則）、１９９６年７月
・果実および野菜ジュース−（２１ＣＦＲ  Ｐａｒｔ  １２０：危害分析重要管理点（ＨＡＣＣＰ）；ジュースの安全で衛生的な加工および輸入のための手法；最終規則）、２００１年１月。
【０００４】
ＨＡＣＣＰの認容は、まもなく増加する。ＦＤＡは、ＨＡＣＣＰについての規則規定／変更の事前提示案（ＡＮＰＲＭ）を、食物産業の残り（家庭用食品と輸入食品との両方を含む）に適用するように、出版した。また、２０００年１月には、全米ミルク集荷協会（ＮＣＩＭＳ）は、自発的なＨＡＣＣＰ  Ｐｉｌｏｔ  Ｐｒｏｇｒａｍを、Ｇｒａｄｅ  Ａ  Ｄａｉｒｙ製品についての従来の調査システムの代替として使用することを推奨した。
【０００５】
食物製造者がＨＡＣＣＰに基づく要件または標準を効果的に満たすためには、関連するＨＡＣＣＰデータを収集し、モニタリングし、そして分析する代わりの、効果的なシステムを有することが、きわめて重要である。このことに対する必要性は、食物製造者が従わなければならないＨＡＣＣＰの７原則を試験することによって、見られ得る：
１．危害分析を実施すること。
２．重要管理点（ＣＣＰ）を設定すること。ＣＣＰは、多数の可能な測定制御が適用され得、そしてその結果、食物の安全性の危険が防止され得るか、排除され得るか、または認容可能なレベルまで低下され得る、食物加工における点、工程または手順である。
３．各ＣＣＰに対する測定パラメータおよび臨界限界を確立し、そしてＣＣＰを測定するための方法を同定する。例えば、調理ＣＣＰのコンプライアンスは、２つの指標（時間および温度）の組み合わせによって、評価され得る。
４．ＣＣＰをモニタリングして、確立された臨界限界について進行中のコンプライアンスを確保する。モニタリングシステムは、個々の偏差を検出するのみでなく、データを分析して、ＨＡＣＣＰ計画を再評価する必要性を示し得る偏差のパターンを同定するべきである。
５．重要なパラメータのモニタリングが、臨界限界に達しないことを示す場合になされる、補正作用を確立する。
６．正確な記録を維持する。有効な記録維持は、１つの要件である。ＨＡＣＣＰの記録は、事象が起こった時点で作成されなければならず、そしてパラメータ測定値、日付、時刻およびその記入を行うプラント従業員を含まなければならない。
７．そのシステムが、初期および進行中に適切に働いていることを確認する。これらの作動は、モニタリング設備の較正、モニタリング作動の直接の観察、および記録の再調査を含む。
【０００６】
ＨＡＣＣＰを以前の調査システムと区別する、ＨＡＣＣＰシステムの１つの本質的な特徴は、ＨＡＣＣＰが、食物の安全性を確保する責任をその食物製造者に直接与えることである。各プロセッサは、ＣＣＰを同定し得、種々のパラメータ指標を各ＣＣＰについて測定し（例えば、調理プロセスを確認するための時間および温度の測定）、偏差を同定し、偏差の傾向の分析を実施し、そしてデータを文書にしてＨＡＣＣＰ要件とのコンプライアンスを示さなければならない。現在、これらの臨界的かつ本質的な機能を実施し得る、単一の装置も分析手順も利用可能ではない。例えば、食物プロセッサは、孤立した測定を行うための多くの単一機能のモニタ（例えば、温度プローブおよび光度計であり、これらの両方は、以下にさらに議論されるように、食物の安全性に関するパラメータを測定し得る装置である）を使用し、次いで、その読み取りを、手動で、異なるデータ収集シートに記入するようである。このような収集手順は、退屈であり、そして人為的ミスを非常に受けやすい。さらに、製造環境の質に対する複数のパラメータの関係の検査は、ほとんど不可能でなければ困難である。選択されたＣＣＰを、ＨＡＣＣＰに基づく要件および標準に従うために直接使用され得る形式で収集し、保存し、統合し、そして分析するための、単純かつ効果的な方法に対する必要性が存在する。
【０００７】
ＨＡＣＣＰに基づくモニタリングプログラムに次第に近付くことは、より迅速な、より高感度の、かつより実施が容易であることによって改善された試験方法に対する傾向と同時に進行することは、驚くべきことではない。より厳密な標準（例えば、ＨＡＣＣＰに基づくプログラムに関連する標準）が、試験方法におけるこのような改善を動機付けると期待される。この試験方法が改善されるにつれて、標準がより厳密になるようである（なぜなら、コンプライアンスがより正確に、精密に、そして効率的に、維持および確認され得るからである）点において、逆もまた真実である。
【０００８】
製造環境の改善された試験に対するこの傾向は、広範な種々の産業（食物、医薬品、化粧品、および医療の分野が挙げられるが、これらに限定されない）において生じている。このような産業において、環境の質のレベルをモニタリングするために、多くの技術（微生物培養物を使用する技術が挙げられる）が使用される。微生物培養物は、最も広範に実施される試験方法であるが、それらの低い試験スループット能力および長いインキュベーション時間に起因して、使用が制限されている。これらは、作動の発生の直前の環境の質を測定し得ない。特定の病原体を検出し、そしていくつかの場合には定量する、種々の試験が開発されている。これらは、ハイスループットの自動化システムから、単一サンプル試験デバイスの範囲であり得る。これらの方法は、検出のための微生物の増殖を必要とし、これは、かなりの時間を浪費する。アデノシン三リン酸（ＡＴＰ）およびアルカリホスファターゼ（ＡＰ）の測定パラメータのようないくつかの技術は、環境汚染物のレベルに間接的に相関するパラメータを測定する。なお他のものは、微生物の存在および繁殖の危険性に関連する要因（すなわち、温度、ｐＨ、伝導率、還元電位、溶存気体、全固形物、およびタンパク質残基）をモニタリングする。後者の型の方法は、それらの決定をリアルタイムに近づけ、臨床環境の質の情報を即時のベースで得る際に、使用者にはっきりした利点を与える。
【０００９】
代表的に、ＡＴＰおよびＡＰならびに類似の検出標的は、生物発光技術を使用する。このプロトコルは、サンプルを目的の表面から収集するためのデバイスを使用する工程、およびこのデバイスを作動させて、このサンプルと一緒に試薬を混合し、サンプリングされたＡＴＰ／ＡＰの量に比例する光を発生させる工程を包含する。次いで、このデバイスを光子測定機器に挿入することによって、この反応が読み取られる。
【００１０】
１つの生物発光ＡＴＰモニタリングシステムは、ＩＤＥＸＸ  ＬＡＢＯＲＡＴＯＲＩＥＳによって開発された、ＬＩＧＨＴＮＩＮＧシステムである。このデバイスは、予め湿らされたスワブ、一端の球における緩衝液、および読み取り端部における、箔で密封された区画内の凍結乾燥された試薬を含む。このスワブがデバイスから取り出され、サンプルを試験表面から収集するために使用され、そしてこのデバイスのチューブに戻される。次いで、球が折り曲げられ、スナップ弁を破壊して開き、これにより、この球が絞られる場合、緩衝液が読み取りチャンバ内に放出される。次いで、サンプル含有スワブが、箔障壁に沿って押され、このデバイスが振盪され、そしてスワブ上のＡＴＰと（緩衝液中に）溶解した試薬との間で、反応が進行する。このデバイスは、光子測定機器の読み取りチャンバに挿入され、そして読み取りが、１０秒間の積分時間にわたって行われる。生物発光信号の強度は、スワブ上のＡＴＰに比例する。
【００１１】
現在使用されている別のシステムは、ＣＨＡＲＭ  ＳＣＩＥＮＣＥＳ  ＰＯＣＫＥＴＳＷＡＢ  ＰＬＵＳと称される。これは、ＬＵＭＩＮＡＴＯＲ  ＴまたはＦｉｒｅｆｌｙ可搬型ルミノメーターと共に使用される、統合型デバイスである。このデバイスは、予め湿らせたスワブを備える。これは、デバイスの基部から取り出され、表面を拭き取るために使用され、基部に戻され、次いで、基部に対して頂部を回転させることによって、作動される。この作動は、スワブ先端に分離障壁を穿孔させ、別個の試薬を基部の底部チャンバに移動させ、スワブに収集されたサンプルと混合され、そして反応される。試薬の底部への移動および底部チャンバでの混合を容易にするために、振盪が必要とされる。
【００１２】
次いで、作動されたデバイスは、ルミノメーターの頂部の穴に挿入され、そして停止するまで押し下げられる。このプロセスは、扉を置き換える。このデバイスの上部は、機器の外側のままであるが、読み取りチャンバ開口部と共にシールを形成する。次いで、この機器の読み取りボタンが押されて、信号積分期間を開始し、その後、読み取りが、相対光単位（ＲＬＵ）で表示される。
【００１３】
別のこのようなシステムは、ＵＮＩ−ＬＩＴＥ  ＸＣＥＬ可搬型ルミノメーターと共に使用するための、ＢＩＯＴＲＡＣＥ  ＣＬＥＡＮ−ＴＲＡＣＥ  ＲＡＰＩＤ  ＣＬＥＡＮＬＩＮＥＳＳ  ＴＥＳＴ内蔵デバイスである。これもまた、予め湿らされたスワブを有し、これが取り出され、サンプルが収集され、そしてスワブが戻される。作動は、このデバイスの頂部（これは、サンプルを含む）を基部の方へと、膜障壁を通して押し下げることを包含する。このスワブは、穿孔先端に係合し、これがこの膜を破り、そして試薬を、ＣＨＡＲＭデバイスの様式と類似の様式で混合させる。溶液の全てを底部に移動させるために、振盪が必要とされる。
【００１４】
ＢＩＯＴＲＡＣＥルミノメーターは、キャップを有し、このキャップは、持ち上がり、そして邪魔にならないように回転して、読み取りチャンバを露出させる。サンプルを含むデバイスがチャンバ内に低下され、そしてキャップが閉じられる。このキャップが完全に閉じると、光遮断部材が開き、信号測定が可能になる。ＣＨＡＲＭユニットと同様に、ボタンが読み取りサイクルを開始し、このサイクルは、ＲＬＵでの光読み取りの表示で終了する。
【００１５】
ＭＥＲＣＫもまた、ＡＴＰのための衛生モニタリングシステムを提供し、これは、ＨＹ−ＬＩＴＥモニタを、ＨＹ−ＬＩＴＥ試験スワブ、リンスチューブおよびサンプリングペンと共に利用する。このスワブは、リンスチューブ内で湿らされる。表面が拭き取られる。このスワブがチューブに戻され、そして数秒間回転されて、任意の収集されたＡＴＰを放出させる。このスワブが絞り出され、そして取り除かれる。次いで、ペンが、１秒間挿入されて、サンプルを拾い上げる。ペンの先端は、硬質パッドに当たり、そしてキュベットに係合する。ボタンが押されて、試薬を解放し、そしてキュベット内での反応を開始させる。次いで、このキュベットが取り出され、そして振盪され、モニタの読み取りチャンバに挿入され、そしてボタンが押されて、１０秒間の光積分期間を開始する。次いで、ＲＬＵが、モニタシステムに表示される。
【００１６】
類似のシステムが、ＣＥＬＳＩＳ（Ｈｙｇｅｎｉａとしてもまた公知）によって開発され、ＳＹＳＴＥＭＳＵＲＥ可搬型衛生モニタリングシステムと称される。試験手順は、ＭＥＲＣＫシステムの手順と類似であり、ここで、スワブは湿らされ、そして表面が拭き取られる。次いで、この試薬が、キュベット中にピペッティングされる。スワブがキュベットに挿入され、そして数秒間回転され、次いで取り除かれる。キュベットがキャップされ、そしてルミノメーターに挿入され、ここで、読み取りが開始される。
【発明の開示】
【発明が解決しようとする課題】
【００１７】
使用の容易さを増強し、そして測定の確度および精度を改善するように設計された、改善された方法および装置に対する必要性が存在する。現在のシステムは、特定の工程（例えば、予め湿らせること、ピペッティング、回転（ｒｏｔａｔｉｎｇ）、両手での回転（ｓｃｒｅｗｉｎｇ）、両手で押すこと、衝撃、振盪、および正確なタイミングであり、これらは、デバイスの作動を十分には制御せず、そして増加した読み取りの分散に寄与する）に関して煩わしい、操作者による不必要な作動を組み込む。
【課題を解決するための手段】
【００１８】
本発明は、方法および装置の複数の実施形態を提供し、既存のシステムの上記制限のいくつかを克服する。
【００１９】
（発明の簡単な要旨）
本発明は、モニタリングアセンブリの種々の実施形態に関する。このアセンブリは、機器およびプローブアセンブリ、またはサンプル試験デバイスを備え、これらは、一緒に使用されて、環境のプロセスをモニタリングするための、サンプルの多数の異なるパラメータ（発光パラメータが挙げられる）を、効率的に、正確に、そして精密に測定し得る。１つの実施形態において、この機器は、光子検出アセンブリを備え、そしてプローブアセンブリは、この光子検出アセンブリでのサンプル収集および発光読み取りのための、統合された、内蔵式の試験デバイスである。この機器およびプローブアセンブリの実施形態を使用するための方法の種々の実施形態もまた、本発明の主題である。
【００２０】
この機器は、サンプル試験デバイス（すなわち、プローブ）（本発明のプローブアセンブリを含む）に含まれるサンプルの光読み取りを実施するための、ルミノメーターとして作動し得る。１つの実施形態において、この機器は、エレベーター機構に接続された、蝶番つきカバー（すなわち、蝶番つきキャップ）を備える、暗所読み取り（ｄａｒｋ  ｒｅａｄｉｎｇ）チャンバを有する。この接続の構成は、蝶番つきカバーが開いて試験デバイスがチャンバ内に装填される場合でさえも、この機器の光子検出器が、外部光に曝露されることを防止する。このことは、信号の安定性のため、および増加したバックグラウンド光子計数（これは、低下したシステム感度の主要な原因である）を低下させるために、非常に重要である。蝶番つきカバー、この機器におけるシャッター部材、およびエレベーター機構の種々の構成要素は、協働して、エレベーター機構が押し下げられてサンプル含有デバイス（すなわち、プローブ）を読み取り位置に低下させる場合に、光子検出器を、外部光への曝露から遮断する。また、エレベーター機構およびシャッターは、蝶番つきカバーが開いて試験デバイスがこの機器に装填される場合でさえも、光子検出器が光に曝露されることを防止する。蝶番つきカバーが閉じ、そして試験デバイスが低下される場合、シャフトが回転して、このシャッターを開き、従って、先に光度計測的に安定化された暗所環境において、読み取りが得られ得る。
【００２１】
さらなる実施形態において、この機器は、通信ポートを備え、この通信ポートは、この機器が、光子検出器に加えて、測定デバイスから信号を受信することを可能にする。この測定デバイスは、外部デバイスまたは外部検出プローブであり得、光子検出器によって提供される以外のパラメータ（例えば、温度、ｐＨ、溶存気体、伝導率、還元電位、および特定のイオンであるが、これらに限定されない）を測定または感知し得る。外部プローブはまた、１つより多くの型のパラメータを測定または感知し得る、マルチパラメータプローブであり得る。いくつかの実施形態において、この測定デバイスは、少なくとも部分的に、この機器のハウジングに対して内部であり、ここで、測定デバイスとの通信のための通信ポートはまた、この機器のハウジングに対して内部であり得る。
【００２２】
プローブアセンブリに関して、１つの実施形態において、これは、プローブアセンブリを片手のみで作動させるために下方に押され得る、プランジャーを備える。これは、プローブ内のシールされた収容チャンバを、穿孔先端に押し付け、これによって、このシールを穿孔する。これらのチャンバのうちの１つは、乾燥試薬を含み、そして他のものは、緩衝溶液を含む。チャンバのシールが穿孔される場合、これらのチャンバの内容物が混合して、試薬溶液を形成する。この試薬溶液は、チャネルを通り、そしてサンプル含有スワブ先端を通って流れ、サンプルを試薬内に放出させる。次いで、この試薬はサンプルと反応し、そしてサンプル中のＡＴＰ、ＡＤＰまたはアルカリホスファターゼのような材料（これらに限定されない）、および特定の適用のために選択された試薬によって、環境汚染物のレベルに比例する光を放出する。プローブアセンブリは、この機器に直接挿入されて、サンプルから放出される光を測定し得る。
【００２３】
（発明の詳細な説明）
本発明は、水の処理、保持、収容および使い捨てのシステムのような領域における環境品質および処理品質を促進する重要な情報を提供するために使用され得る、生成物（製品）、成分、プロセスまたは環境のサンプルのパラメータを、モニタリングまたは測定するための装置および方法の種々の実施形態に関する。これらの設定としては、食品産業、医薬産業、化粧品産業および医療産業における試験が挙げられるが、これらに限定されない。これらの設定としては、さらに、一般的用途（例えば、商業的空調設備および冷却塔が挙げられるが、これらに限定されない）のための環境調節設備および制御設備が挙げられ得る。さらなる設定としては、生物学的材料での故意または不慮の汚染に潜在的に感受性である、敏感な環境（例えば、軍事施設、病院または密閉された高い居住率の建物）が挙げられる。
【００２４】
本発明の特定の実施形態を示す図面が、例示の目的のために提供される。また、本発明は、反応からの光放射を測定することによる病原性汚染物のモニタリングを含む文脈において記載される。しかし、当業者が理解するように、本発明の種々の局面もまた、種々の他の設定において適用可能であり得る。また、理解されるように、等価な改変が、本発明の範囲からも精神からも逸脱することなく、本発明に対してなされ得る。本発明の記載を不明瞭にする不要な詳細を回避するために、全てのこのような改変が例示または記載されているわけではない。
【００２５】
図１Ａ、１Ｂおよび２は、本発明のプローブアセンブリ１０（サンプル試験デバイス）の１実施形態を示す。図１Ａは、プローブアセンブリ１０の分解図であり、そして図２は、プローブアセンブリ１０の部分的断面図である。プローブアセンブリ１０は、サンプルを収集するために使用され、そしてまた、サンプルが試薬溶液に放出される反応チャンバとして働く。このプローブアセンブリ１０はまた、本発明の機器１００のような機器によってパラメータが測定されながら、サンプルを保持するためのデバイスとしても作用し得る。図５〜１１は、機器１００および機器１００に収容される光子検出アセンブリ７０の１実施形態を示し、この光子検出アセンブリ７０は、プローブアセンブリ１０中に含まれるサンプルのパラメータ（例えば、光子計数）を測定するために使用され得る。
【００２６】
プローブアセンブリ１０は、図２に示されるように、中空シャフト１６を備える、サンプル収集部材または掻き出し棒（ｓｗａｂ  ｓｔｉｃｋ）１２を備える。掻き出し棒１２は、サンプル収集表面または掻き出し先端１４を有する。例示的実施形態において、掻き出し棒１２の掻き出しシャフト１６は、管状である。また、シャフト１６の下方端部（「上方」および「下方」は、図中のデバイスの向きに関する）は、開放端であり、管状シャフト１６の中空内部をさらす。掻き出し先端１４は、下方の開放端部を覆う。ほとんどの実施形態において、掻き出し先端１４は、プローブアセンブリ１０と共に使用される試薬溶液が、シャフト１６の中空内部から外へ、そして掻き出し先端１４を介して流れ出し、掻き出し先端１４上に収集されたサンプルと反応することを可能にする、液体透過性材料（例えば、綿、Ｄａｃｒｏｎ、多発泡体または多孔性の液体透過性プラスチック）のサンプリング表面から作製される。掻き出し棒１２の上方端部１８は、図２中に最良に示され、そして以下に記載されるような、接続チューブ２２に挿入されることによって、プローブアセンブリ１０の残りの部分に固定される。いくつかの実施形態において、掻き出し先端１４は、予め湿らされて、サンプル収集を助ける。他の実施形態において、乾燥した掻き出し先端１４で十分である。
【００２７】
図１Ａおよび２は、プローブアセンブリ１０が、プローブハウジング２０およびこのプローブハウジング２０内に形成された接続チューブ２２を有することを示す。接続チューブ２２は、プローブハウジング２０内の上方端部部分３０、および例えば、プローブハウジング２０に一体的に形成されることによって、プローブハウジング２０の下方端部部分に連結された下方端部部分３４を有する。これは、図２中に最良に示される。
【００２８】
接続チューブ２２の下方端部部分３４はまた、管状スタッブ３６と一体的に形成され得、この管状スタッブと接続チューブ２２とは、同軸上に整列されている。管状スタッブ３６は、接続チューブ２２の下方端部３４およびプローブハウジング２０から下方に延びる。また、試験管握り環３９は、図１Ａ中に最良に示されるように、管状チューブ３６の外部表面上に形成され得る。
【００２９】
接続チューブ２２は、一部、プローブハウジングに掻き出し棒１２を連結するための連結部材として機能する。図２に示されるように、接続チューブ２２の内部チャンバ２６の一部は、握り部材２４を備える。掻き出しシャフト１６の上方端部１８は、接続チューブ２２の下方端部３４を介して、接続チューブ２２の内部チャンバに同軸上に挿入され得、そして掻き出し棒１２をプローブハウジング２０に固定するための握り部材２４を有するチャンバの一部へと押し込まれ得るように、構成およびサイズ決めされる。また、接続チューブ２２の内部チャンバ２６は、掻き出しシャフト１６と接続チューブ２２との間にシールを提供するために、握り部材２４の上に減少した直径を有する。
【００３０】
示される実施形態において、接続チューブ２２の上方端部部分３０は、オリフィス３２を伴って形成される。いくつかの実施形態において、このオリフィスは、接続チューブの内部チャンバ２６の平均直径よりも小さい直径を有する。このオリフィス３２は、接続チューブ２２の内部チャンバ２６と、接続チューブの外側との間に、開口部を提供する。このオリフィス３２は、開口部を上方に向けて、接続チューブ２２の上方端部部分３０の頂部で中心を合わせる。図２中で見られ得るように、穿孔先端２８もまた、接続チューブ２２の上方端部部分３０に接続される。いくつかの実施形態において、穿孔先端２８は、接続チューブ２２へと一端にて連結され、そしてその他端が、穿孔先端２８が形成されるオリフィス上に延びる、突出部材上に形成されることによって、オリフィス３２上に直接配置される。
【００３１】
プローブアセンブリ１０は、プローブハウジング２０にスライド可能に接続され、そしてプローブアセンブリ１０を起動するために起動または押され得る、プランジャー４４または移動部材を有する。図１Ａおよび２を参照のこと。プランジャー４４は、液体チャンバ４６を有する。１実施形態において、液体チャンバ４６は、液体緩衝液および界面活性剤を含み、この液体は、プランジャー４４の下方端部におけるホイルシール４８によって、液体チャンバ４６中にシールされる。他の実施形態において、この液体チャンバは、異なる試薬を含み得る。このプランジャー４４はまた、上方で開き、そして空洞内に挿入されるピンを有する機器によって適所にプローブアセンブリを保持するために使用され得る、中空保持空洞４７を有する。
【００３２】
図２および３において最良に示されるように、プランジャー４４は、プローブアセンブリの起動の前に、「上の」位置にあり得（ここで、プローブアセンブリ１０においてまだ反応が起きていない）、または「下の」位置まで下方に押され得る。プランジャーが「下の」位置まで下方に押されるかまたは下方に起動される場合、穿孔先端２８は、液体チャンバ４６のホイルシール４８、ならびにプランジャー４４の下に配置された、試薬を含む乾燥チャンバ３８のホイルシール４２を穿孔する。プランジャー４４は、液体チャンバから放出される液体が、プランジャー４４を通ってプローブアセンブリ１０の外部へと漏出するのを防止するために、プローブハウジング２０の内部表面と嵌合する、シール環４５を有することもまた注目される。
【００３３】
乾燥試薬チャンバ３８（これは、１種以上の試薬および乾燥剤を含み得る）は、プランジャー４４の下で、プローブハウジング２０内に配置される。乾燥チャンバ３８は、乾燥チャンバ３８（この中に試薬がシールされる）の頂部および底部をシールするために、ホイルシール４２を有する。乾燥チャンバ３８の外部表面上に長手軸方向に形成された１つ以上のポジショナー４０が存在し得る。ポジショナー４０は、例えば、リブの形態を取り得る。図１Ａを参照のこと。ポジショナー４０は、プローブハウジング２０の内部表面を係合するように構成され、そしてプランジャー４４が「上の」位置にあるままで、穿孔先端２８の上の位置に乾燥チャンバ３８を保持するが、プランジャー４４が「下の」位置に配置されると、穿孔先端２８を通過して乾燥チャンバ３８が下にスライドすることを可能にして、ホイルシール４２を破断する。
【００３４】
いくつかの実施形態において、乾燥チャンバ３８および液体チャンバ４６は、位置について逆転され得る。すなわち、チャンバ４６は、乾燥試薬または試薬の成分を保持し得、そしてチャンバ３８は、液体試薬または試薬の液体成分を保持し得る。他の実施形態において、両方のチャンバが、液体を含み得る。さらに、特定の適用について選択される試薬溶液の成分は、種々の方法で、チャンバ３８、４６中に分布し得る。例えば、１つのチャンバは、媒体または緩衝溶液を含み得るが、他方の容器は、サンプルからのエネルギー放射を促進するための反応試薬を含む。また、本発明のいくつかの実施形態は、１つのチャンバまたは２つより多いチャンバを備え得る。さらなる実施形態において、１つのチャンバは、増殖促進媒体を含み得、そして別の容器は、安定化媒体または輸送媒体を含み得る。これらは、一緒に使用されても別々に使用されてもよい。
【００３５】
環状キャップ５０は、プローブハウジング２０およびプランジャー４４上に嵌合される。図２中に最良に示されるように、キャップの下部部分５２は、このプローブハウジング２０の上部端部にてこのハウジングの外部表面に嵌合するように構成され、そしてキャップ５０の上部部分５４は、プランジャー４４の外部表面と嵌合する。プランジャー４４は、キャップ５０に関してスライド可能であり、一方でプローブハウジング２０は、キャップ５０に固定して嵌合される。また、プランジャー４４の表面と関連する小さい拘束デバイス５６が存在し、使用者がプランジャー４４を押圧することによってプローブを起動するまで、「上の」位置にプランジャー４４を保持するために、キャップ５０の上部端部を係合する。
【００３６】
半透明試験管５８が、プローブアセンブリ１０に提供される。試験管５８は、使用されていないサンプリングデバイスを保護するか、サンプル含有デバイスを収容するか、または活性化されたサンプルおよび試薬を蓄積するために働き、そして測定チャンバとして働く。図１Ａ、１Ｂおよび２を参照のこと。プローブアセンブリ１０が完全にアセンブリされて起動準備ができると、試験管は、掻き出し棒１２上に嵌合され、その結果、掻き出し先端１４は、試験管５８内に収容される。図１Ｂを参照のこと。試験管５８の上部部分の直径は、管状スタッブ３６上の試験管握り環３９上にぴったりと嵌合するようにサイズ決めされ、その結果、試験管５８が管状スタッブ上に押される場合、十分に密な嵌合が達成されて、試験管５８を管状スタッブ３６に固定して連結する。
【００３７】
図１Ａに示されるように、管状スタッブ３６の握り突出部３９の隙間および試験管５８の上部縁部から構成される大気ベント６０もまた、存在する。これは、プローブアセンブリ１０の内側から大気への排気を提供して、プランジャー４４が押圧される場合に、プローブアセンブリからの圧力集中を解放する。プランジャー４４がプローブの起動の間に押圧される場合、圧力勾配が、プランジャー４４の近傍の高圧点と、大気ベント６０における低圧点との間に生成される。このことは、プランジャー４４の近傍の点から試験管５８への流体の流れを確実にする。
【００３８】
作動の際に、図１Ｃに示されるように、試験管５８は、プローブから取り外されて、接続チューブ（Ｔａｂｌｅ）２２からの取り外しなしに、サンプル収集のために掻き出し先端１４を露出する。次いで、使用者は、掻き出し先端１４を使用して、サンプル表面に接触する。次いで、試験管５８は、掻き出し棒１２上に配置され、そして管５８の上部端部部分が、管状スタッブ３６上を押されて、試験管を適所に配置する。プローブを起動するために、使用者の手または指によって十分に供給される下向きの力が、プランジャー４４に適用されて、穿孔先端２８に向かってプランジャー４４を駆動し、従って、乾燥チャンバ３８のホイルシール４２および液体チャンバ４６のホイルシール４８を破断する。プランジャー４４は、図２および３に示されるように、「上の」位置から「下の」位置に移動される。液体チャンバ４６からの液体緩衝溶液および乾燥チャンバ３８からの試薬は、放出され、そして混合される。試薬溶液は、接続チューブの上方端部部分３０にてオリフィス３２を通して、プランジャー４４の下方の推力によって、掻き出し棒１２の中空シャフト１６へと押しやられる。図３中の表示された矢印（「Ａ」）は、中空シャフト１６によって規定されるチャネルを通る、流体流路の一部を示す。プランジャーの下向きの推力によって生成される圧力集中は、大気ベント６０によって解放され、掻き出し棒１２のシャフト１６中の矢印（「Ｂ」）によって示される流路を通って下方に試薬溶液を駆動または駆出する、圧力勾配を維持する。流体は、掻き出し先端１４を通って掻き出しシャフト１６を出、従って、収集されたサンプルと接触し、試薬溶液へとサンプルの一部または全部を放出する。放出されたサンプルを含む試薬溶液は、次いで、試験管５８の遠位端部に蓄積する。
【００３９】
試験管の遠位端部は、本発明のいくつかの実施形態において、光子検出デバイスに曝されるプローブアセンブリ１０の測定部分として働く。試薬およびサンプルは、反応して、ＡＴＰ、ＡＤＰ、アルカリホスファターゼまたはサンプル中の他の適切な分析物の量に比例した光を発生させる。機器１００（これは、光子検出デバイス（以下に記載され、そして図４〜１０に示される検出アセンブリ７０）を備える）は、試薬溶液から放射された光を測定するために使用されて、サンプリングした環境中の汚染物のレベルの指標を提供する。プランジャー４４、オリフィス３２および掻き出しシャフト１６によって一部形成された流体チャネルを備える、プローブアセンブリ１０の構成は、プランジャーの移動が、実質的に全てまたは十分な量の試薬溶液およびサンプルを、さらなる動作（例えば、振とう）を必要とせずに、プローブの測定部分（試験管５８の遠位端部）へと駆動することを確実にする。
【００４０】
本発明の種々の実施形態の精密さ、正確さ、信頼性および使用のし易さに寄与する、プローブアセンブリ１０のいくつかの特徴の概要を、以下に提供する。例えば、乾燥チャンバ３８上のホイルシール４２および液体チャンバ４６上のホイルシール４８は、プローブアセンブリ１０の起動の間に、掻き出し先端１４によって接触されない。このことは、試薬チャンバの膜を穿孔するために掻き出しが使用されることを必要とする現在利用可能なデバイスとは対照的である。従って、本発明は、試薬チャンバのシールとの接触に起因して、サンプルが掻き出し先端１４から除去されるのを防ぐ。また、本発明のプローブアセンブリ１０は、プランジャー４４を押圧することによって、一方の手のみで容易に起動できる。これはまた、プローブアセンブリ１０の幾何学によって十分に混合されるので、試薬を液体緩衝溶液と混合するために振とうすることを必要としない。例えば、この試薬溶液は、液体および試薬の放出によって適切に混合され、オリフィス３２を介して、そして掻き出しシャフト１６またはチャネルへと、そしてこれらを介して、そして掻き出し先端１４を介して、混合物の乱流と合わせられる。試薬の量は、プローブを起動するために一方の手のみを使用して、自動的、精密かつ正確に、提供および分散される。また、１実施形態において、プローブアセンブリ１０は、掻き出し先端１４が、光子検出デバイスまたは光子感応路の読み取り領域に配置された試験管５８の底部部分の上にあるように、構成される。このことは、図９において見られ得、ここで、環状開口部９６（シャッター８２の開口部）は、光子検出デバイスの光子感応路を近似する。掻き出し先端１４が、この読み取り領域の直上にあることに留意のこと。同時に、プローブアセンブリ１０は、試験管５８中の液体レベル９８が、それにもかかわらず掻き出し先端１４との液体接触または連絡を維持するのに十分に高いように、十分な量の液体を分散するように構成される。このこともまた、図９において見られ得る。この構成により、液体が、掻き出し先端１４からサンプルを解放することがなおできるままで、光子検出デバイスが、掻き出し先端１４からの最小の干渉で、溶液から放射される光を測定することが可能となる。プローブアセンブリ１０はまた、試薬漏出を排除するように設計され、この漏出は、測定値の精密さを低減させ、そして上記の種々のシールに起因して、サンプリングされた表面を汚染し得る。
【００４１】
プローブアセンブリ１０が操作される方法は、別個の試薬区画間の障壁を穿孔する操作、これらの試薬を混合する操作、および正確な既知の量で混合された試薬を分配する操作、そして最後に、検出のために、材料を含むサンプルを放出する操作を、完全に統合する。サンプリングデバイスを介した全ての試薬の起動、混合および分配の工程を連続的に行う、統合された穿孔、移行およびチャネリングの機構は、サンプル含有表面で試薬分離障壁を穿孔すること、および結果として生じる障壁デブリ上のサンプルの損失、デバイスの間隙または開放空洞における試薬材料の損失を回避し、そして適切な操作を確実にするために、操作者がデバイスを振とうするか、捻るか、または繰り返し操作する必要性を回避する。試験管５８または測定チャンバが、光学的に均一であり、そして効果的な光度測定を導く、連続的収集および読み取りチャンバを形成することもまた、留意される。このことは、より正確、精密かつ高感度の読み取りのために、光子伝送を増強する。
【００４２】
本発明の機器１００の特定の実施形態は、機器ハウジング１０１を備え、この機器ハウジング１０１内に、光子検出アセンブリ７０が収容される。図１１および１２を参照のこと。図１１は、機器ハウジング１０１が示される機器１００の１実施形態の外装の模式図であり、そして図１２は、機器１００の１実施形態のブロック図であり、外部測定デバイス１０７（複数パラメータの外部プローブは、図１２に例示される実施形態によって示される）を示すが、光子検出デバイス７０もプローブアセンブリ１０（サンプル試験デバイス）も示されていない。この外部測定デバイスは、その機能性を損なうことなく、機器１００に固定され得るか、機器１００から脱着可能であり得る。図１１において、光子検出アセンブリ７０の上部部分が見られ得、検出アセンブリの残りの部分は、機器ハウジング１０１中に収容されている。
【００４３】
機器１００は、キーパッド１０２または制御パネル、ディスプレイスクリーン１０４、プロセッサ１０６および１つ以上の通信ポート１０８を備え得る。通信ポート１０８は、測定デバイス１０７または他の外部デバイスのいずれかと共に使用するために、機器の内部または外部のいずれかに、任意の種々の入力デバイスおよび／または出力デバイスを備え得る。他の実施形態において、この機器はまた、内部システムメモリ１１０を備える。なお別の実施形態において、この機器は、外部メモリデバイス１１２（例えば、メモリーカードおよびＣＤ−ＲＯＭディスクが挙げられるが、これらに限定されない）を受容および読出しするための受容デバイス１１３を備える。さらに、他の形態の外部メモリが、通信ポート１０８を介して外部メモリにデータを出し入れすることによって、機器１００と共に使用され得る。これらの他の型の外部メモリは、汎用コンピュータシステム１２０（以下に記載される）上のハードディスク、データロガー１４０または他の型の遠隔データベース１３６を備え得る。
【００４４】
機器１００は、光子検出アセンブリ７０の光子検出デバイス（これには、光電子増倍管、フォトダイオードまたは他の光子感応検出器が挙げられる）および他の測定デバイス１０７（これは、その通信ポート１０８を介して、機器１００と連絡し得る）の両方からの信号を受容するように構成され得る。図１２を参照のこと。記載されるように、測定デバイス１０７は、機器１００に対して外部であり得るか、または機器１００の一体化した部分であり得る。このような測定デバイス１０７としては、環境安全性またはＨＡＣＣＰ（危害分析重要管理点（Ｈａｚａｒｄ  Ａｎａｌｙｓｉｓ  ａｎｄ  Ｃｒｉｔｉｃａｌ  Ｃｏｎｔｒｏｌ  Ｐｏｉｎｔ））原則に必須の他のパラメータ（例えば、ｐＨ、温度、溶存気体、伝導率、還元電位および特定のイオンが挙げられるが、これらに限定されない）をモニタリングするための、外部の単一パラメータプローブまたは複数パラメータプローブが挙げられるが、これらに限定されない。１つの例示的な複数パラメータプローブは、組み合わされた温度およびｐＨプローブであり、両方のパラメータについての測定値を同時または別個に提供することが可能である。種々の複数パラメータ（および単一パラメータ）プローブが、現在入手可能であり、かつ広く使用され、そして列挙された多数のパラメータを測定する能力を備え得る。例えば、合わされた温度／ｐＨプローブ、ならびに２つより多いパラメータを測定し得るプローブが、広く使用されている。一例は、現在広く入手可能な複数パラメータプローブであり、これは、ｐＨ、伝導率、温度、圧力および溶存気体を測定し得る。図１２に示される測定デバイス１０７はプローブであるが、多数の他の測定デバイスが、これらを置き換え得る。
【００４５】
上記機器１００の実施形態は、光子検出アセンブリ７０を用いてルミネセンスパラメーター（これは、しばしば、ＨＡＣＣＰ計画においてＣＣＰインジケータとして選択される）を正確で、精密でかつ効率的に測定する能力と、同じ機器１００を使用してこの測定されたルミネセンスパラメーターと組み合わせて他のパラメーターを測定、編集、および解析する能力とを、合わせる。発光に必ずしも関連しないこれらの他のパラメーターは、しばしば、ルミネセンスパラメーターがインジケータとして働く、同じまたは異なるＣＣＰのためのインジケータとして選択される。全てのパラメーターが、ＨＡＣＣＰ計画に重要である。機器１００の組み合わせた機能性は特有であり、かつ多くの有意な利点を提供する。これらの利点は、食品および環境制御の適用についてかなり明白である。ここで、ＨＡＣＣＰベースの標準物質が一般的であり、ルミネセンスがかなり適切であるが、この機器１００の同じまたは等価な改変物もまた、種々の他の設定において使用され、有意な利点を提供し得る。
【００４６】
食品産業について、本発明の性能についての有意な必要性は、ＨＡＣＣＰベースの標準物質または調節と適合するための必要性に、一部起因する。そのために、食品加工業者、または食品製造業者は、ＣＣＰ（重要管理点）を同定しなければならない。ＣＣＰは、いくつかの形態の制御が適用され得、かつ食品安全性の危険が、予防、排除または低減され得る、点、工程、または手順である。食品加工業者は、各ＣＣＰ（例えば、調理プロセスを確認するための時間測定値および温度測定値）に対する種々のパラメーターインジケータを測定し、偏差を同定し、偏差の傾向解析を行い、そして、そのデータを記録して、ＨＡＣＣＰ要件とのコンプライアンスを示す必要があり得る。ＨＡＣＣＰ計画を行う際に、食品加工業者は、現在、多くの単一機能モニター（例えば、温度プローブ、ｐＨメーター、および活性化サンプルのバイオルミネセンスを測定するための、別個の光子計数器）を使用して、孤立した測定値を獲得し、次いで種々のデータ収集シートに対して手動の読み出しを入力するようである。このような収集手順は、退屈で、非効率的でありかつ人為的誤差をかなり受けやすい。このデータ収集に関与するものによる故意の作動または不注意な作動によるデータの整合性の損失という重篤な危険性は、最先端技術とともに存在する。さらに、複数パラメーターの、生産環境の質との関係の試験は、困難である。本発明は、以下に記載される例示的な実施形態によってさらに示されるように、これらの問題を解決する。
【００４７】
本発明の１つの例示的な実施形態において、機器１００は、光電子増倍管（ＰＭＴ）またはフォトダイオードを有する光子検出アセンブリ７０を備え、かつサンプルが採取される環境の温度およびｐＨを測定するための多パラメータープローブ（すなわち、外部測定デバイス１０７）と連絡し得る。測定されるべき種々のパラメーター（光子数、ｐＨ、および温度）の各々は、ＨＡＣＣＰ計画における同じＣＣＰ（または異なるＣＣＰ）に対する重要なインジケータである。
【００４８】
この例示的な実施形態において、ユーザは、この機器を使用して、サンプルの光子数を測定し、この光子数の測定値を、この機器１００に一時的または永久的に記憶し、次いで、この機器１００および多パラメータープローブ１０７を使用して、適切な環境の温度もしくはｐＨのいずれかまたはそれら両方を読み出しそして記憶し得る。これらの種々のパラメーターの測定値は、同時にまたは連続的に獲得され得る。測定された全ての異なるパラメーターを表わすデータは、同時に表示され得、そして種々のデータ収集シート間も、いかなる他の別個のデータフォーマットも切り替えることなく、機器１００のディスプレイスクリーン１０４上で比較され得る。
【００４９】
好ましい実施形態において、収集されたデータは、その保持されるデータ量を最適にする様式で、データ記憶設備にランダムに割り当てられるが、操作者が目的の任意のパラメーターと無関係な任意のデータ記憶量を割り当てるのに完全な可動性を有する。最も好ましい実施形態において、全てのこのようなデータは、故意の開始データも不注意な開始データも除外するような様式で、その指定された位置において保持される。
【００５０】
以前に、ユーザは、サンプルの光子数、次いでその環境のｐＨまたは温度を別個に獲得しそして記録しなければならなかった。これらのデータは、手動で記録されるかまた独立した未関連機器に記録された。その温度データおよびｐＨデータと一緒に、光子数データを表示または解析するために、ユーザは、データ収集シート上にデータを記録する場合、おそらく共通データベースにこのデータを手動でコピーまたは入力することによって、全てを単一フォーマットに取り込まなければならなかった。対照的に、機器１００を用いて、種々のパラメーター（光子数を含む）を表示する全てのデータは、１つのデバイスによって収集、記録および表示されることにより統合される。
【００５１】
例示的な実施形態において、ソフトウェアが、機器１００上に備えられ、統合データ（光子数、温度およびｐＨ）を解析して、ＨＡＣＣＰ計画に適合するために是正処理を必要とするＣＣＰについての臨界限度に到達したか否かが決定される。このソフトウェアは、メモリー１１０に記憶され、そして機器１００のプロセッサ１０６を駆動させる。この臨界限度が、３つの別々のパラメーターの組み合わせ相互作用に感受性である傾向がある場合、測定されたデータは、この機器１００のメモリー１１０に記憶された以前の傾向と合わせて解析され得る。このソフトウェアはまた、関連ＣＣＰまたは他の因子（例えば、データの傾向およびグラフにおけるデータの表示）の迅速な評価を誘導する、ディスプレイスクリーン１０４上のディスプレイフォーマットを作成し得る。これらの性能は、現在、生物発光パラメーターを測定する性能をまた有し得る機器とともには利用不可能である。
【００５２】
上記の例から理解され得るように、機器１００の特定の実施形態は、いくつかの別個であるが関連したパラメーター（これらのパラメーターとしては、光子測定値が挙げられ得る）からの情報を効果的に組み合わせて、ＣＣＰもしくは関連したＣＣＰ群、または任意の他の環境条件もしくはプロセス条件の、より包括的な、統合された効果的な評価を提供する。この機器のさらなる利点は、１つの機器を利用する多パラメーターの測定が、いくつかの測定機器の高コスト製造を排除することである。さらなる利点は、ＡＡＣＣＰ計画に対するＣＣＰコンプライアンスのサンプリング、輸送、転写または解析の間のデータ整合性の記載についての可能性を排除することである。
【００５３】
関連分野の当業者によって理解されるように、本発明の範囲から逸脱することなく、機器１００の上記の例示的な実施形態に対して、種々の等価な改変がなされ得る。ソフトウェアもしくはハードウェアの一部、またはこれらを使用するための関連方法の工程は、除外され得るかまたは異なって組み合わされ得るか、あるいはこれらの種々の等価な改変が、付加され得る。例えば、無数の種々の外部測定デバイス１０７は、温度／ｐＨプローブの代わりに使用され得、このようなデバイスは、溶存気体、伝導率、還元電位、および特定のイオンのようなパラメーターを測定する能力を有するデバイスを含む。この外部測定デバイス１０７は、その用途に依存して選択される。また、統合されたデータは、機器１００内での解析の代わりにかまたはこの解析に加えて、ソフトウェアでの解析のために、通信ポート１０８を介して、（以下に記載される）汎用コンピューターに書き出され得る。
【００５４】
この機器１００の通信ポート１０８は、コンピューター、データ転送デバイス、または包括的データの編集および出力のための他のデータ解析デバイスとの直接接続を提供し得る。図１３は、本発明のいくつかの実施形態とともに使用するための汎用コンピューターのブロック図である。このコンピューターシステム１２０は、中央処理装置（ＣＰＵ）１２２、ディスプレイスクリーン１２４、内部システムメモリー１２６、および入力／出力デバイス１２８を備える。さらに、このコンピューター１２０は、コンピューター読み出し可能な媒体１３２（例えば、ディスケット）を受信および読み出すための受信デバイス１３０を備える。このコンピューター読み出し可能な媒体１３２は、ＣＤ−ＲＯＭディスクとして図１３に示されており、このコンピューターシステム１２０は、他のコンピューター読み出し可能な媒体（フロッピー（登録商標）ディスク、テープ、フラッシュメモリー、システムメモリー１２６、ＤＶＤ−ＲＯＭ、およびハードドライブが挙げられるがこれらに限定されない）を用い得る。この入力／出力１２８は、種々のデバイス（キーボード１３４、またはリモートデータベース、すなわち外部データベース１３６、またはマウス（図示せず）が挙げられる）に接続され得る。さらに、信号を送信および受信するリモートデバイス（例えば、ネットワーク、モデム、データロガー１４０、パーソナルデータデバイス、またはパームパイロット内の他のデバイスであるが、これらに限定されない）もまた、これらの入力／出力１２８を介してコンピューターシステム１２０と連絡し得る。機器１００によって収集されるデータを解析するためにこのコンピューター１２０とともに使用されるソフトウェアは、この機器１００に関して上記されたソフトウェアの性能を備え得る。さらに、機器１００のためのソフトウェアと同様に、このようなソフトウェアはまた、無数の他の機能（例えば、全体のＨＡＣＣＰ計画とのコンプライアンスを評価およびモニタリングする能力を有する機能）、または他の品質管理もしくは安全性プログラム（例えば、統計学的な処理制御プログラム）を提供し得る。このようなソフトウェアは、機器１００の内部であっても、機器１００の外部であっても、内部と外部との組み合わせであってもよい。
【００５５】
図１４は、上で参照される汎用データロガー１４０の単純化したブロック図であり、これを使用して、データを供給し得るか、または種々の供給源（例えば、機器１００、測定デバイス１０７、または汎用コンピューターシステム１２０）からのデータを記録し得る。図１４に示される実施形態は、入力／出力デバイス１４２、アナログデジタル変換器１４４、処理ユニット１４６、ディスプレイ１４８、キーボード１５０、および内部メモリー１５２を備える。
【００５６】
図４および図５は、光子検出アセンブリ７０を備える機器１００の１つの実施形態を示す。この光子検出アセンブリ７０は、スライド可能なシャフト７２、回転可能なメモリーまたは回転可能なシャフト８０、保持部材または保持チャンバ７６、ヒンジカバー７４、シャッター８２、および検出器ハウジング８６（１つの実施形態において、光電子増倍管（ＰＭＴ）または光子検出用の光デバイスを備える（ＰＭＴは示さず））を備える。
【００５７】
スライド可能シャフト７２は、プローブアセンブリ１０または類似のデバイスを受容するように構成された内部チャンバ８４を有する。活性化プローブアセンブリ１０から発光される光を測定するのが望ましい場合、これは、保持チャンバ７６を介して検出アセンブリ７０に挿入され、このプローブの一部は、このスライド可能なシャフト７２の内部チャンバ８４に延びる。
【００５８】
保持チャンバ７６は、スライド可能なシャフト７２の上部に連結される。ヒンジカバー７４は、この保持チャンバ７６に接続され、かつ「開放」位置と「閉鎖」位置との間で旋回可能である。このヒンジカバー７４は、これが内部チャンバ８４を覆って「閉鎖」位置に調節される場合、光が、このスライド可能なシャフト７２の内部チャンバ８４に侵入するのを防止するように構成される。図４は、このヒンジカバーが開放しているところを示し、図７は、このヒンジカバーが閉鎖しているところを示している。
【００５９】
図６Ａおよび図６Ｂは、スライド可能なシャフト７２に挿入されたプローブアセンブリ１０（ヒンジカバー７４は閉鎖している）を示す。理解され得るように、アセンブリ７０の保持チャンバ７６は、プランジャー４４、プローブハウジング２０、およびプローブアセンブリ１０のキャップ５０を保持するように構成される。この保持チャンバ７６の底部近くで、実質的に水平な保持表面７８が、このチャンバの内壁から内側に延びて、管状突出部３６周囲のプローブハウジング２０の底部表面に対して嵌合する。これは、プローブアセンブリ１０を保持し、その結果、試験管５８、およびこの試験管に含まれる任意のサンプルは、検出アセンブリ７０の底部より上にとどまる。いくつかの実施形態において、図６Ａおよび図６Ｂに示される保持部材（または保持チャンバ７６）は、サンプルを含む試験デバイスの一部ではなくこのサンプルを直接含み得る保持チャンバで置換される。例えば、このサンプル含有チャンバは、保持チャンバ内にあり得るか、またはこの保持チャンバであり得る。
【００６０】
図７および図８において最良に見られるように、スライド可能なシャフト７２は、シャフトハウジング９０に対して垂直方向にスライド可能である。このシャフトハウジング９０およびコイルバネ８８は、このシャフト７２のためのエレベーター機構を備える。このスライド可能なシャフト７２およびシャフトハウジング９０は、垂直方向でかつ同軸上に整列される。このコイルバネ８８の底部端は、このシャフトハウジング９０の上部端に対して設定され、その結果、このコイルバネ８８は、このシャフトハウジング９０の上部から上向きに延びる。このスライド可能なシャフト７２は、コイルバネ８８内に同心円状に含まれ、このコイルバネの上端は、保持チャンバ７６の外部表面の底部に対して嵌合される。スライド可能なシャフト７２、およびこのスライド可能なシャフトに連結された保持チャンバ７０は、図７および図８に示されるように、「上方」位置から「下方」位置まで抑圧され得る。図８に示される「下方」位置にある場合、スライド可能なシャフト７２は、解除可能なロッキング機構（図示せず）を使用して、適所にロックされ得る。このロッキング機構が解除された場合、コイルバネ８８は、スライド可能なシャフトをその「上方」位置まで戻すかまたはその位置に推進する。
【００６１】
図６および図７に示されるように、回転可能なシャフト８０は、スライド可能なシャフト７２の底部部分にて形成される円柱状ポジショナー９４内に同心円状に配置される。この回転可能なシャフト８０の外部表面は、この回転可能なシャフト上の下方向コルクネジまたは螺旋状パターンを形成する溝９２と並列される。ポジショナー９４の内部表面は、この溝内に適合するように構成されたガイド部材を有する。回転可能なシャフト８０は、自由に回転しかつシャフト８２に接続されており、このシャフト８２は、この回転可能なシャフトとともに回転する。スライド可能なシャフト７２が垂直方向に配置される場合、ポジショナー９４もまた垂直方向に配置され、それによって、このポジショナーのガイド部材が、溝に沿って移動される。しかし、ポジショナー９４は、垂直方向にのみに移動するように構成されており、回転せず、それ自体で、回転可能なシャフト８０の回転を引き起こす。同様に、シャフト８２はまた、回転可能なシャフトに連結され、そしてこのシャフトとともに自由に回転するように、回転する。
【００６２】
図４および図９において示される実施形態において、シャッター８２は、円柱形状部材であり、ＰＭＴを含む検出器ハウジング８６に隣接している。図４に示されるように、スライド可能なシャフト７２が「上方」位置にあり、かつヒンジカバー７４が開放している場合、このシャッター８２は、「閉鎖」位置にあり、このシャッターの開口部９６は、検出器ハウジング８６から離れて面している。このように、ＰＭＴは、開放した保持チャンバ７６から入る外部光に曝されず、この外部光は、獲得される読み出しの精度および正確さを妨害し得る。その「上方」位置は、サンプル含有デバイスの装填位置である。スライド可能なシャフト７２が下方に配置される場合、シャッターが回転し、その結果、その開口部９６が検出器ハウジング８６に面し、検出器アセンブリ７０における光子供給源（例えば、プローブアセンブリ１０における反応サンプル）を光子検出デバイスによって検出するのを可能にする。図９を参照のこと。この「下方」位置は、サンプル測定位置である。従って、検出アセンブリ７０は、検出器ハウジング８６およびシャッター８２によって部分的に形成される暗所（ｄａｒｋ）チャンバ９１を提供し、これは、読み出し（計数）前または測定値が獲得される前に光度測定的に安定化され、そしてまた、この読み出しの間に、外部光が光子検出デバイスによって検出されるのを防ぐ。図１０を参照のこと。
【００６３】
いくつかの実施形態において、スライド可能なシャフト７２が、シャッター８２が開放される程度まで下方に配置され得る前に、ヒンジカバー７４が閉鎖されなければならないことにもまた、留意のこと。このことは、光子検出デバイスが外部光に曝されないことを確実にする。１つの実施形態において、図１１において最良に見られるように、スライド可能なシャフト７２が「下方」位置にある場合に、カバー７４は、機器ハウジング１０１によって開放されるのを防止される。
【００６４】
使用中、スライド可能なシャフト７２のためのロッキング機構は解放され、スライド可能なシャフトが、コイルバネ８８によって「上方」位置に上昇されるのを可能にし、そして図４に示されるように、ヒンジカバー７４が開放される。活性化サンプルデバイス（例えば、プローブアセンブリ１０）が、検出アセンブリ内に配置され、そしてヒンジカバーが閉鎖される。図６Ａおよび図６Ｂを参照のこと。次いで、スライド可能なシャフト７２は、試験管５８（ここに、反応サンプルが含まれる）の遠位端を、検出または光子検出デバイスの測定経路内に移動させるように抑圧される。同時に、以前に記載されるように、シャッター８２が回転して、反応サンプルを光子検出デバイスに曝すように開放される。図９は、「下方」位置にある検出アセンブリを示しており、光子検出デバイスは、反応サンプルからの光に曝される。理解され得るように、反応サンプルを含む試験管５８の遠位端のみが、シャッター８２の開口部９６を介して曝される。スワブ先端部１４は、開口部９６より上で維持されるが、依然として液体と接触しており、液体レベル９８を有する。さらに、以前に記載されるように、このことは、このスワブ先端部１４からサンプルを吸い出す（ｌｅｅｃｈ）ために、このスワブ先端部１４を液体と接触させて維持しながら、スワブ先端部１４からの読み出し妨害を最小にする。
【００６５】
検出アセンブリ７０の別の実施形態において、ヒンジカバー７４内の、位置決めピン７３、または位置決め部材は、プランジャー４４内の保持キャビティ４７と嵌合して、暗所チャンバ９１内にプローブアセンブリ１０を整列させる。図６Ｂを参照のこと。これは、このプローブを、検出器に非常に密接しかつ正確に近接して再現可能に位置付けるのを補助するが、スワブ先端部１４が直接光測定経路になくても、他の利用可能なシステムと比較して、より正確な高感度の読み出しを可能にする。ヒンジカバー７４の種々の実施形態は、この様式でピンがプランジャー４４と嵌合するのを可能にするように構成され得る。例えば、このヒンジカバー７４は、キャップを下方向に滑動させてピンを保持キャビティ４７内に嵌合する前に、このキャビティ４７の上にこのピンを上昇させるように垂直方向において、独立して、保持チャンバ７６に対してスライド可能であり得る。
【００６６】
以前に議論されたように、いくつかの実施形態において、光子検出アセンブリ７０は、機器１００の機器ハウジング１０１内に備えられる。図１１は、光子検出アセンブリ７０（サンプルの読み出しを行うために、スライド可能なシャフト７２は、「下方」位置にある）を含む機器ハウジング１０１の１つの実施形態を示す。この位置において、ヒンジカバー７４を含む、光子検出アセンブリ７０の上部のみが可視でき、この検出アセンブリの残部は、機器ハウジング内に含まれる。
【００６７】
種々の試薬が、本発明の実施形態とともに使用され得る。いくつかの実施形態は、デバイスの起動の際にペレットの溶解を増強する組成物を有する、乾燥形態の試薬を用いる。また、種々の液体／溶液が、特定の用途および使用される試薬に依存して、本発明の実施形態とともに使用するために選択され得る。試薬および液体の組成は、本発明の範囲を超えている。
【００６８】
上記の種々の実施形態は、さらなる実施形態を提供するように組み合わされ得る。本願明細書において参照され、そして／または出願データシートに列挙される、上記米国特許、米国特許出願公開、米国特許出願、外国特許、外国特許出願および非特許文献の全て（米国特許出願番号６０／３３８，８４４（２００１年１２月６日出願）、表題「ＳＡＭＰＬＥ  ＣＯＬＬＥＣＴＩＯＮ  ＡＮＤ  ＴＥＳＴＩＮＧ  ＳＹＳＴＥＭ」（代理人番号１５００２６．４５６Ｐ１）が挙げられるがこれに限定されない）が、それら全体が本明細書中で参考として援用される。本発明の局面は、必要ならば、種々の特許、出願および公開の、システム、回路および概念を用いるために改変され、本発明のなおさらなる実施形態を提供し得る。
【００６９】
本発明についての特定の実施形態および実施例が例示目的のために本明細書中に記載されているが、種々の等価な改変が、本発明の精神および範囲から逸脱することなくなされ得、かつ関連分野の当業者によって認識され得る。本発明の明細書中で提供される教示は、記述されるような広範な種々の用途に適用され得る。記載される種々の実施形態は、さらなる実施形態を提供するように組み合わされ得る。記載されるデバイスおよび方法は、いくつかの構成要素もしくは作用を省略するか、他の構成要素もしくは作用を追加するか、またはそれらの構成要素を組み合わせるかもしくは記載される順序と異なる順序でその作用を実行して、本発明の種々の利点を達成し得る。
【００７０】
これらおよび他の変更は、上の詳細な説明を考慮して、本発明に対してなされ得る。一般に、添付の特許請求の範囲内において、使用される用語は、本明細書中に開示される特定の実施形態に本発明を制限するようには解釈されるべきではない。従って、本発明は、この開示によって制限されるのではなく、代わりにその範囲は、添付の特許請求の範囲によって完全に決定される。
【図面の簡単な説明】
【００７１】
【図１Ａ】図１Ａは、本発明の１つの特定の実施形態によるプローブアセンブリの分解斜視図であり、プローブハウジングの内側の接続チューブもまた、点線で示す。
【図１Ｂ】図１Ｂは、図１のプローブアセンブリの斜視図である。
【図１Ｃ】図１Ｃは、試験管が取り外された、図１のプローブアセンブリの斜視図である。
【図２】図２は、プランジャーが「上」位置にある、図１のプローブアセンブリの一部の直径を通る断面図である。
【図３】図３は、プランジャーが「下」位置にある、図１のプローブアセンブリの一部の直径を通る断面図である。
【図４】図４は、スライド可能なシャフトが「上」位置にあり、そして蝶番つきカバーが開いた、本発明の１つの特定の実施形態による検出アセンブリの斜視図である。
【図５】図５は、検出器ハウジングの反対側から見た場合の、図４の検出アセンブリの断面図である。
【図６Ａ】図６Ａは、スライド可能なシャフトが「上」位置にあり、蝶番つきカバーが閉じ、そしてプローブアセンブリが作動し、かつ検出アセンブリに挿入されている、図７の検出アセンブリの断面図である。
【図６Ｂ】図６Ｂは、検出アセンブリの１つの実施形態の一部の直径を通る断面図であり、検出アセンブリの蝶番つきカバーに形成された位置決めピンを示す。
【図７】図７は、スライド可能なシャフトが「上」位置にあり、そして蝶番つきカバーが閉じている、図４の検出アセンブリの斜視図である。
【図８】図８は、スライド可能なシャフトが「下」位置にあり、そして蝶番つきカバーが閉じている、図４の検出アセンブリの斜視図である。
【図９】図９は、スライド可能なシャフトが「下」位置にあり、そして蝶番つきカバーが閉じており、そしてプローブアセンブリが作動され、かつ検出アセンブリに挿入されている、図８の検出アセンブリの断面図である。
【図１０】図１０は、スライド可能なシャフトが「下」位置にあり、そして蝶番つきカバーが閉じている、図４の検出アセンブリの後部斜視図である。
【図１１】図１１は、検出アセンブリのスライド可能なシャフトが「下」位置にある、本発明の１つの特定の実施形態による測定機器の斜視図である。
【図１２】図１２は、測定機器の１つの実施形態を概略的に示す、単純化したブロック図であり、サンプル試験デバイスも光子検出アセンブリも示されていない。
【図１３】図１３は、本発明の種々の実施形態と共に使用するための汎用コンピュータの、単純化したブロック図である。
【図１４】図１４は、本発明のいくつかの実施形態と共に使用するための、汎用データロガーまたはデータ転送デバイスの単純化したブロック図である。
【図１Ａ】
0004467304.tif 000002
【図１Ｂ】
0004467304.tif 000003
【図１Ｃ】
0004467304.tif 000004
【図２】
0004467304.tif 000005
【図３】
0004467304.tif 000006
【図４】
0004467304.tif 000007
【図５】
0004467304.tif 000008
【図６Ａ】
0004467304.tif 000009
【図６Ｂ】
0004467304.tif 000010
【図７】
0004467304.tif 000011
【図８】
0004467304.tif 000012
【図９】
0004467304.tif 000013
【図１０】
0004467304.tif 000014
【図１１】
0004467304.tif 000015
【図１２】
0004467304.tif 000016
【図１３】
0004467304.tif 000017
【図１４】
0004467304.tif 000018